(57)【要約】【課題】身体や物に容易に振りかけることができ、より簡易に粉粒体の吐出量を適量に調整できる粉粒体収納容器を提供する。【解決手段】粉粒体を収納した容器本体２と、容器本体２に取りつけて、粉粒体を吐出するための蓋部３を有し、蓋部３が、開口を有する開口部と、開口を有しない未開口部とを交互に有し、容器本体２に取り付けられる内蓋５と、内蓋５上に位置して回転可能に支持され、回転により開口部に対応して粉粒体を吐出できる振り出し口と、回転により開口部を閉鎖して粉粒体の吐出を防ぐ閉鎖部と、を交互に有した外蓋４と、を配置し、蓋部３が、容器本体２の正立状態において該蓋部３の中心軸線ｂが鉛直方向ａに対して所定角度αを有するように傾斜して配置されている粉粒体収納容器１である。【選択図】図１
2019077467.tif 000002
【特許請求の範囲】
【請求項１】
粉粒体を収納した容器本体と、
前記容器本体に取りつけて、前記粉粒体を吐出するための蓋部を有し、
前記蓋部が、
開口を有する開口部と、開口を有しない未開口部とを交互に有し、前記容器本体に取り付けられる内蓋と、
前記内蓋上に位置して回転可能に支持され、回転により前記開口部に対応して前記粉粒体を吐出できる振り出し口と、回転により前記開口部を閉鎖して前記粉粒体の吐出を防ぐ閉鎖部と、を交互に有した外蓋と、を配置し、
前記蓋部が、前記容器本体の正立状態において該蓋部の中心軸線が鉛直方向に対して所定角度を有するように傾斜して配置されていることを特徴とする粉粒体収納容器。
【請求項２】
前記開口部の前記開口が、前記蓋部の半径方向の長さが前記蓋部の円周方向の長さより長い形状である請求項１記載の粉粒体収納容器。
【請求項３】
前記開口部の前記開口が、楕円形状である請求項２記載の粉粒体収納容器。
【請求項４】
前記開口部が、前記蓋部の半径方向の長さが前記蓋部の円周方向の長さより長い形状の開口と、円形または／および前記蓋部の半径方向の長さが前記蓋部の円周方向の長さより長い形状の開口を有する請求項１〜３のうちいずれか一項に記載の粉粒体収納容器。
【請求項５】
前記蓋部が、前記容器本体の正立状態において該蓋部の中心軸線が鉛直方向に対して９０〜１７８度の角度を有するように傾斜して配置されている請求項１〜４のうちいずれか一項に記載の粉粒体収納容器。
【発明の詳細な説明】
【技術分野】
【０００１】
本発明は、粉粒体収納容器に関し、特に、身体や物に容易に振りかけることができ、より簡易に粉粒体の吐出量を適量に調整できる粉粒体収納容器に関する。
【背景技術】
【０００２】
従来、粉粒体は食品、化粧品などをはじめ、様々な用途に用いられていた。そのため、これら粉粒体を吐出する容器として、種々の容器が開発されていた。例えば、食品では、粉粒体として胡椒を使用したもの、化粧品では、粉粒体として人工毛の粉を使用したもの等を挙げることができる。
【０００３】
かかる技術としては、例えば、特許文献１には、開封可能な容器頭部の下に、一つの開口を有し、容器本体に取り付けられる中蓋シートと、前記中蓋シート上に位置して回転可能に支持され、この回転により前記開口に対応する複数種の振り出し口を有した中蓋とを配置した粉粒体収納容器において、上記中蓋シートは、柔軟な素材から成形されて弾性を備える状態で容器本体に取り付けられるとともに、上記中蓋は、中蓋シートより柔軟な素材から変形容易に成形されて上記中蓋シートに着脱可能に支持され、前記中蓋には、周方向に、振り出し口と該振り出し口より下位に位置して上記開口を覆う閉鎖板とが交互に配設され、該中蓋の振り出し口それぞれは、中蓋中央部側から周部にかけて下り傾斜して設けられているとともに、振り出し口裏面には、該振り出し口を中蓋裏面周部と隣位する閉鎖板と中蓋中央部から区画して上記中蓋シートに接する縦壁部が設けられ、前記振り出し口間の閉鎖板の中央部側には、中蓋回転中心側に湾曲した縦壁部が設けられていることを特徴とする粉粒体収納容器が、開示されている。
【０００４】
また、特許文献２には、短繊維状の合成高分子で成る人工毛が収容された容器本体と、該容器本体に収容された人工毛を吐出するための複数の孔部を有して前記容器本体の上端開口部に装着される多孔状の目皿と、前記容器本体の上端開口部を覆う着脱自在なキャップとを具備して成る収納容器において、前記目皿が所定の間隔をあけて対向する第一目皿と第二目皿との二重構造とされ、前記第一目皿は容器本体の上端開口部内側に嵌合されると共に、前記第二目皿は容器本体の上端開口部外側に嵌合され、更に前記第一目皿はその各孔部が第二目皿の各孔部よりも孔径が大きく設定され、前記第二目皿の上面部にはその外周に沿って環状の突条が形成され、その突条が前記キャップの内側上面部に密着するよう構成される収納容器が、開示され、特許文献３には、短繊維状の人工毛を収容する容器本体部と、前記容器本体部の口部に装着されるとともに複数の吐出孔を備えた内蓋部と、前記内蓋部を覆うとともに前記容器本体部に対して着脱自在な外蓋部と、前記内蓋部の上面に貼着された封止フィルムと、を有する人工毛収容容器において、前記封止フィルムが対向する二つの側辺にそれぞれ摘み片を備え、一方の摘み片側から前記封止フィルムを剥離した場合に前記封止フィルムの中央部分を含む領域が部分的に前記内蓋部から剥離するとともに、他方の摘み片側から前記封止フィルムを剥離した場合に前記封止フィルムの全体が前記内蓋部から剥離することを特徴とする人工毛収容容器が、開示されている。
【先行技術文献】
【特許文献】
【０００５】
【特許文献１】実用新案登録第２５６０９４９号公報
【特許文献２】特許第３５９４５８０号公報
【特許文献３】実用新案登録第３１９７１３８号公報
【発明の概要】
【発明が解決しようとする課題】
【０００６】
しかしながら、特許文献１記載の技術は、開口部に対して、振り出し口と閉鎖部を有する蓋を回転することで粉体の吐出を制御できるものの、容器が円柱状であるため、対象物に対し真上からでないと粉体を十分に振りかけることができず、身体や物に容易に振りかけることができるものではなかった。また、振り出し口を複数設けているが、開口が１つであるため、人工毛用の容器として使用した場合には、頭部の髪全体に対して均一に振りかけることができないものであった。
【０００７】
さらに、特許文献２および特許文献３記載の技術は、粉体の吐出量の調整はできるものの、容器が円柱状であるため、対象物に対し真上からでないと粉体を十分に振りかけることができず、身体や物に容易に振りかけることができるものではなかった。また、特許文献２記載の技術は、２つの目皿を使用しているため構造が複雑で、しかも目皿間に粉体が詰まるという問題点があった。さらにまた、特許文献３記載の技術は、防止フィルムを剥がした後の吐出量の調整ができず、さらに、&#21085;がしたフィルムによって振りかけ量が決まってしまうため、異なる振りかけ量を必要とする者が２人以上で使用することができないものであった。
【０００８】
そこで本発明の目的は、前記の従来技術の問題を解決し、身体や物に容易に振りかけることができ、より簡易に粉粒体の吐出量を適量に調整できる粉粒体収納容器を提供することにある。
【課題を解決するための手段】
【０００９】
本発明者らは、前記課題を解決すべく鋭意検討を行った結果、粉粒体の吐出する蓋部を容器に対して傾斜した形状とすることによって、前記目的を達成し得ることを見出し、本発明を完成するに至った。
【００１０】
即ち、本発明の粉粒体収納容器は、
粉粒体を収納した容器本体と、
前記容器本体に取りつけて、前記粉粒体を吐出するための蓋部を有し、
前記蓋部が、
開口を有する開口部と、開口を有しない未開口部とを交互に有し、前記容器本体に取り付けられる内蓋と、
前記内蓋上に位置して回転可能に支持され、回転により前記開口部に対応して前記粉粒体を吐出できる振り出し口と、回転により前記開口部を閉鎖して前記粉粒体の吐出を防ぐ閉鎖部と、を交互に有した外蓋と、を配置し、
前記蓋部が、前記容器本体の正立状態において該蓋部の中心軸線が鉛直方向に対して所定角度を有するように傾斜して配置されていることを特徴とするものである。
【００１１】
また、本発明の粉粒体収納容器は、前記開口部の前記開口が、前記蓋部の半径方向の長さが前記蓋部の円周方向の長さより長い形状であることが好ましく、前記開口部の前記開口が、楕円形状であることが好ましい。
【００１２】
さらに、本発明の粉粒体収納容器は、前記開口部が、前記蓋部の半径方向の長さが前記蓋部の円周方向の長さより長い形状の開口と、円形または／および前記蓋部の半径方向の長さが前記蓋部の円周方向の長さより長い形状の開口を有することが好ましい。
【００１３】
さらにまた、本発明の粉粒体収納容器は、前記蓋部が、前記容器本体の正立状態において該蓋部の中心軸線が鉛直方向に対して９０〜１７８度の角度を有するように傾斜して配置されていることが好ましい。
【発明の効果】
【００１４】
本発明によると、身体や物に容易に振りかけることができ、より簡易に粉粒体の吐出量を適量に調整できる粉粒体収納容器を提供することができる。
【図面の簡単な説明】
【００１５】
【図１】本発明の粉粒体収納容器の一例を示す断面図である。
【図２】本発明における内蓋の一例を示す図である。
【図３】本発明における内蓋の一例を示す断面図である。
【図４】本発明における内蓋の一例を示す斜視図である。
【図５】本発明における容器本体の一例を示す上方斜視図である。
【図６】本発明における外蓋の一例を示す図である。
【図７】本発明における外蓋の一例を示す断面図である。
【図８】本発明における外蓋の一例を示す斜視図である。
【図９】本発明における外キャップの一例を示す断面図である。
【図１０】本発明における外キャップの一例を示す斜視図である。
【図１１】本発明の粉粒体収納容器の使用例を示す図である。
【発明を実施するための形態】
【００１６】
以下、本発明の粉粒体収納容器について具体的に説明する。
図１は、本発明の粉粒体収納容器１を示す断面図である。本発明の粉粒体収納容器１は、粉粒体を収納した容器本体２と、容器本体２に取付けて、前記粉粒体を吐出するための蓋部３を有している。また、蓋部３は内蓋５と外蓋４とを有し、図１では、蓋部３をカバーする外キャップ６を有している。さらに、本発明の粉粒体収納容器１は、蓋部３が、容器本体２の正立状態において該蓋部３の中心軸線ｂが鉛直方向ａに対して所定角度αを有するように傾斜して配置されている。
【００１７】
さらにまた、本発明の粉粒体収納容器１は、蓋部３が、容器本体２の正立状態において該蓋部の中心軸線ｂが鉛直方向ａに対して９０〜１７８度の角度αを有するように傾斜して配置されていることが好ましく、１３０〜１７０度の角度を有するように傾斜して配置されていることがより好ましく、１４０〜１６０度の角度を有するように傾斜して配置されていることがさらにより好ましい。傾斜の角度αをかかる範囲とすることで、身体、頭部や物等により簡易に粉粒体の吐出量を適量に調整して容易に振りかけることができる。なお、本発明において、粉粒体とは、粉状、粒状の物質であり、例えば、化粧品における擬似毛髪である人工毛の粉体、おしろい等の粉体の化粧料、食品における胡椒などの調味料等である。
【００１８】
図２は、本発明における内蓋の一例を示す図であり、図２（ａ）は上面図で、図２（ｂ）は側面図である。内蓋５は、開口５１ａ、５１ｂを有する開口部５１と、開口５１ａ、５１ｂを有しない未開口部５２とを交互に有している。図２では、開口部５１と未開口部５２をそれぞれ４個所設けているが、２個所でも、３個所でも、開口部５１と未開口部５２の数が同数であれば限定されるものではない。ここで、図２（ａ）では、内蓋５における開口部５１と未開口部５２の位置を明確にするために便宜的に図面上に引いた線としてｃ線とｄ線を記載し、これにより内蓋５を均等に４分割している。また、外蓋４の回転により粉粒体の吐出の有無が決まるため、内蓋５における開口部５１の面積と未開口部５２の面積は、同じ大きさであることが好ましい。なお、ここで、開口部５１の面積とは、開口５１ａ、５１ｂの面積だけでなく、その周りの部分も含む、開口部５１としての面積である。例えば、図２（ａ）では、円を８等分した４５度の扇状の全体の面積である。
【００１９】
さらに、本発明において、開口部５１の開口５１ａが、蓋部３の半径方向の長さが蓋部３の円周方向の長さより長い形状であることが好ましく、特に、開口部の開口５１ａが、楕円形状であることが好ましい。さらにまた、開口５１ａの位置としては、開口部５１の中央部に位置し、数は１つまたは２つ以上が好ましいが、開口部５１の中央部に開口５１ａを２つ有することが好ましい。これにより、開口が円形の場合と比較して、粉粒体の目詰まりを防止できるとともに、吐出量の適量調整がより容易となる。
【００２０】
また、本発明において、図２では、開口部５１が、蓋部３の半径方向の長さが蓋部３の円周方向の長さより長い形状の開口５１ａと、蓋部３の半径方向の長さが蓋部３の円周方向の長さより長い形状の開口５１ｂを有しているが、開口部５１は、蓋部３の半径方向の長さが蓋部３の円周方向の長さより長い形状の開口５１ａだけでなく、円形の開口を有していてもよいし、円形および蓋部３の半径方向の長さが蓋部３の円周方向の長さより長い形状の開口の両方を有していてもよい。ただし、粉粒体による目詰まり等を防止して、より吐出しやすくするために、開口部５１が、蓋部３の半径方向の長さが蓋部３の円周方向の長さより長い形状の開口５１ａと、蓋部３の半径方向の長さが蓋部３の円周方向の長さより長い形状の開口５１ｂを有していることが好ましい。
【００２１】
さらに、本発明において、開口５１ａが開口部５１の中央部に位置し、該開口５１ａの両側に開口５１ｂを有することが好ましい。これにより、粉粒体の目詰まりなく、バランスよく全体的に吐出することができる。また、開口５１ｂの数としては、開口５１ｂの大きさにもよるが１つまたは２つ以上が好ましく、特に開口５１ａの両側に２つまたは３つ有していることが好ましい。これにより、よりバランスよく全体的に吐出することができる。
【００２２】
図３は、本発明における内蓋の一例を示す断面図であり、図４は、本発明における内蓋の一例を示す斜視図であり、（ａ）は上方向、（ｂ）は下方向の斜視図である。また、図５は、発明における容器本体の一例を示す上方斜視図である。内蓋５には、容器本体２との接続側に突起５３を有し、突起５３を容器本体２の上部側面の容器本体嵌合部２１と嵌合することで、内蓋５を容器本体２に取り付けることができる。また、突起５３の両側には、溝部５３ａを両側に設けているため、突起５３を容器本体嵌合部２１に嵌合する際に、溝部５３ａで力を吸収でき、容器本体２や内蓋５を破壊することなく、容易に嵌合できる。さらに、容器本体２は、高さ部２２を設けているため、内蓋５と容器本体２をより安定的に嵌合することができる。ただし、これは、内蓋５の容器本体２への取付けの一例であり、内蓋５の容器本体２への取付けができれば取付方法は限定されない。また、内蓋５と容器本体２を一体成型していてもよい。
【００２３】
図６は、本発明における外蓋の一例を示す図であり、図６（ａ）は上面図で、図６（ｂ）は側面図である。ここで、図６（ａ）では、外蓋４における振り出し口４１と閉鎖部４２の位置を明確にするために便宜的に図面上に引いた線としてｅ線とｆ線を記載し、これにより外蓋４を均等に４分割している。外蓋４は、内蓋５上に位置して白矢印ｇの方向に回転可能に支持され、回転により開口部５１に対応して粉粒体を吐出できる振り出し口４１と、回転により開口部５１を閉鎖して粉粒体の吐出を防ぐ閉鎖部４２と、を交互に有している。図６では、振り出し口４１と閉鎖部４２をそれぞれ４個所設けているが、２個所でも、３個所でも、振り出し口４１と閉鎖部４２の数が同数であれば限定されるものではない。また、吐出量の適量調整のため、振り出し口４１と閉鎖部４２の数や面積は、開口部５１と未開口部５２の数や面積と同じであることが好ましい。なお、ここで、振り出し口４１の面積とは、振り出し口４１の開口の面積だけでなく、その周りの部分も含む、振り出し口４１としての面積である。例えば、図６（ａ）では、円を８等分した４５度の扇状の全体の面積である。
【００２４】
図７は、本発明における外蓋の一例を示す断面図であり、図８は、本発明における外蓋の一例を示す斜視図であり、（ａ）は上方向、（ｂ）は下方向の斜視図である。外蓋４には、内蓋５との接続部側に突起４５を有し、突起４５を内蓋５の凹部５５と嵌合することで、外蓋４を内蓋５に取り付けることができる。ただし、これは、外蓋４の内蓋５への取付けの一例であり、外蓋４の内蓋５への取付けができれば取付方法は限定されない。
【００２５】
また、外蓋４の側面突起部４３にある孔４４を内蓋５の凹部５４にある突部５４ａにはめ込むことで、外蓋４を内蓋５に取り付けた状態で外蓋４を突部５４ａに合わせて一定間隔で回転させることができる。ここで、内蓋５の凹部５４は、図４に示すように溝の形状になっているため、外蓋４の側面突起部４３にある孔４４を内蓋５の凹部５４にある突部５４ａにはめ込むことで、外蓋４の回転を制御するストッパーとして機能している。なお、これは、外蓋４の内蓋５への取付けの一例であり、外蓋４を内蓋５に取付けて外蓋４を回転できれば取付方法は限定されない。
【００２６】
図９は、本発明における外キャップの一例を示す断面図であり、図１０は、本発明における外キャップの一例を示す斜視図であり、（ａ）は上方向、（ｂ）は下方向の斜視図である。外キャップ６は溝部６１を有し、溝部６１がらせん状であるため、内蓋５の螺旋部５６を回転して、取り付けることができる。なお、外キャップ６と内蓋５の取付方法は、他にも通常の容器とキャップの取付方法を使用することができる。
【００２７】
本発明において、容器本体２、蓋部３の内蓋５と外蓋４、および外キャップ６の材質としては、本発明の効果が得られれば特に限定されないが、例えば、ポリプロピレン、ポリエチレン等を用いることができる。中でも成型の容易さや強度からポリプロピレンが好ましい。
【００２８】
以下、本発明について、実施例を用いてさらに詳細に説明するが、本発明はこれらの実施例に限定されるものではない。
【実施例】
【００２９】
（実施例１）
図１〜１０の構造の粉粒体収納容器１に、粉粒体として人工毛（成分：レーヨン、水、染料、塩化アンモニウム、コロイダルシリカ、アルミゾナール、ソーダ灰）を収納した。図１１に示すように使用することで、頭髪７１に容易に振りかけることができ、より簡易に粉粒体の吐出量を適量に調整して、髪全体にムラなく吐出できた。また、容器本体２に対して蓋部３が、所定角度で傾斜して配置されているため、手を無理やり頭の上に持ってくる必要がなく、手軽に人工毛を吐出できた。
【００３０】
（実施例２）
図１〜１０の構造の粉粒体収納容器１に、粉粒体として胡椒を収納した。容器本体２に対して蓋部３が、所定角度で傾斜して配置されているため、手を無理やり食品（ラーメン等）の上に持ってくる必要がなく、手軽に胡椒を吐出でき、より簡易に粉粒体の吐出量を適量に調整して、食品にムラなく吐出できた。
【符号の説明】
【００３１】
１  粉粒体収納容器
２  容器本体
２１  容器本体嵌合部
２２  高さ部
３  蓋部
４  外蓋
４１  振り出し口
４２  閉鎖部
４３  側面突起部
４４  側面突起部にある孔
４５  突起
５  内蓋
５１  開口部
５１ａ、５１ｂ  開口
５２  未開口部
５３  突起
５４  凹部
５４ａ  凹部にある突部
５５  凹部
５６  螺旋部
６  外キャップ
６１  溝部
７１  頭髪
ａ  鉛直方向
ｂ  蓋部３の中心軸線
ｃ、ｄ  内蓋５の分割を示す線
ｅ、ｆ  外蓋４の分割を示す線
ｇ  白矢印（回転方向）
【図１】
2019077467.tif 000003
【図２】
2019077467.tif 000004
【図３】
2019077467.tif 000005
【図４】
2019077467.tif 000006
【図５】
2019077467.tif 000007
【図６】
2019077467.tif 000008
【図７】
2019077467.tif 000009
【図８】
2019077467.tif 000010
【図９】
2019077467.tif 000011
【図１０】
2019077467.tif 000012
【図１１】
2019077467.tif 000013